【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
コンピュータ上に記憶され、複数のページを有し、各ページがページコンテンツを有する電子文書に、自動的にインデックスを付ける方法であって、
前記文書の前記複数のページのうちの第１のページ内の第１の領域の選択をユーザから受け取る工程であって、前記第１の領域は、前記複数のページのうちの前記第１のページに対して第１の境界セットによって画定され、第１のベース選択ページコンテンツを含む、受け取る工程と、
前記複数のページのうちの前記第１のページから前記第１のベース選択ページコンテンツのテキスト文字列をユーザ介入なく取り出す工程と、
前記第１のベース選択ページコンテンツの取り出された前記テキスト文字列を、前記複数のページのうちの前記第１のページに関連付けられているページ・ロケーション・インデックスに、ユーザ介入なく割り当てる工程と、
前記複数のページのうちの第２のページから第１の複製された選択ページコンテンツのテキスト文字列をユーザ介入なく取り出す工程であって、前記第１の複製された選択ページコンテンツは、前記複数のページのうちの前記第２のページに対して前記第１の境界セットによって画定された同じ前記第１の領域内に含まれる、取り出す工程と、
前記第１の複製された選択ページコンテンツの取り出された前記テキスト文字列を、前記複数のページのうちの前記第２のページのページ・ロケーション・インデックスに、ユーザ介入なく割り当てる工程と、を備える、方法。
【請求項２】
前記ページ・ロケーション・インデックスはページ・ラベルである、請求項１に記載の方法。
【請求項３】
前記ページ・ロケーション・インデックスの１つは、付加されたページ・ブックマークである、請求項１に記載の方法。
【請求項４】
第１の領域の選択を受け取る前記工程は、前記第１の境界セットに対応する第１の点および第２の点のカーソル入力で指定された前記文書上のグラフィックで選択された区域を含む、請求項１に記載の方法。
【請求項５】
第１のベース選択ページコンテンツのテキスト文字列を取り出す前記工程は、
前記第１のベース選択ページコンテンツ内に位置決めされた基礎的なテキスト・データを抽出する工程をさらに含む、請求項１に記載の方法。
【請求項６】
第１のベース選択ページコンテンツのテキスト文字列を取り出す前記工程は、
前記第１のベース選択ページコンテンツを光学式文字認識（ＯＣＲ）モジュールにより構文解析し、前記第１のベース選択ページコンテンツの前記テキスト文字列を生成する工程をさらに含む、請求項１に記載の方法。
【請求項７】
第１の複製された選択ページコンテンツのテキスト文字列を取り出す前記工程は、
前記第１の複製された選択ページコンテンツを前記ＯＣＲモジュールにより構文解析し、前記第１の複製された選択ページコンテンツの前記テキスト文字列を生成する工程をさらに含む、請求項６に記載の方法。
【請求項８】
前記第１の領域に関連付けられている第１のフィールド・コードを含む書式構造を受け取る工程をさらに備え、
第１のベース選択ページコンテンツのテキスト文字列を取り出す前記工程は、前記書式構造に従って前記第１のベース選択ページコンテンツの前記テキスト文字列を配置する工程を含み、前記第１のベース選択ページコンテンツは、前記第１のフィールド・コードに置き換えられる、請求項１に記載の方法。
【請求項９】
第１の複製された選択ページコンテンツのテキスト文字列を取り出す前記工程は、前記書式構造に従って第２のテキスト文字列を配置する工程を含み、前記第１の複製された選択ページコンテンツは、第１のフィールド・コードに置き換えられる、請求項７に記載の方法。
【請求項１０】
前記書式構造に従って配置されるように前記第１のベース選択ページコンテンツの前記テキスト文字列のプレビューを表示する工程をさらに備える、請求項７に記載の方法。
【請求項１１】
前記第１の領域が方形である、請求項１に記載の方法。
【請求項１２】
前記文書の前記複数のページのうちの第１のページ内の第２の領域の選択を受け取る工程であって、前記第２の領域は、前記複数のページのうちの前記第１のページに対して第２の境界セットによって画定され、第２のベース選択ページコンテンツを含む、受け取る工程と、
前記複数のページのうちの前記第１のページから前記第２のベース選択ページコンテンツのテキスト文字列を取り出す工程と、
前記第２のベース選択ページコンテンツの取り出された前記テキスト文字列を前記複数のページのうちの前記第１のページのページ・ロケーション・インデックスに割り当てる工程と、
前記複数のページのうちの第２のページから第２の複製された選択ページコンテンツのテキスト文字列をユーザ介入なく取り出す工程であって、前記第２の複製された選択ページコンテンツは、前記複数のページのうちの前記第２のページに対して前記第２の境界セットによって画定された同じ前記第２の領域内に含まれる、取り出す工程と、
前記第２の複製された選択ページコンテンツの取り出された前記テキスト文字列を前記複数のページのうちの前記第２のページのページ・ロケーション・インデックスに割り当てる工程と、をさらに備える、請求項１に記載の方法。
【請求項１３】
前記第１の領域に関連付けられている第１のフィールド・コード、前記第２の領域に関連付けられている第２のフィールド・コード、および少なくとも１つのフィールド区切り文字を含む書式構造を受け取る工程をさらに備え、
第１のベース選択ページコンテンツのテキスト文字列を取り出す前記工程は、前記書式構造に従って、前記第１のベース選択ページコンテンツおよび前記第２のベース選択ページコンテンツの前記テキスト文字列ならびに前記少なくとも１つのフィールド区切り文字を連結する工程を含み、前記第１のベース選択ページコンテンツは、前記第１のフィールド・コードに置き換えられ、前記第２のベース選択ページコンテンツは、前記第２のフィールド・コードに置き換えられる、請求項１２に記載の方法。
【請求項１４】
前記書式構造に従って配置されるように前記第１のベース選択ページコンテンツおよび前記第２のベース選択ページコンテンツの前記テキスト文字列のプレビューを表示する工程をさらに備える、請求項１３に記載の方法。
【請求項１５】
前記フィールド区切り文字はスペース文字である、請求項１３に記載の方法。
【請求項１６】
第１のベース選択ページコンテンツのテキスト文字列を取り出す前記工程は、
前記第１のベース選択ページコンテンツを光学式文字認識（ＯＣＲ）モジュールにより構文解析し、前記第１のベース選択ページコンテンツの前記テキスト文字列を生成する工程をさらに含み、
第１の複製された選択ページコンテンツのテキスト文字列を取り出す前記工程は、
前記第１の複製された選択ページコンテンツを前記ＯＣＲモジュールにより構文解析し、前記第１の複製された選択ページコンテンツの前記テキスト文字列を生成する工程をさらに含み、
第２のベース選択ページコンテンツのテキスト文字列を取り出す前記工程は、
前記第２のベース選択ページコンテンツを光学式文字認識（ＯＣＲ）モジュールにより構文解析し、前記第２のベース選択ページコンテンツの前記テキスト文字列を生成する工程をさらに含み、
第２の複製された選択ページコンテンツのテキスト文字列を取り出す前記工程は、
前記第２の複製された選択ページコンテンツを前記ＯＣＲモジュールにより構文解析し、前記第２の複製された選択ページコンテンツの前記テキスト文字列を生成する工程をさらに含む、請求項１２に記載の方法。
【請求項１７】
文書内の複数のページにラベルを自動的に付ける方法であって、
前記複数のページのうちの第１のページ上の１以上のページ領域選択を受け取る工程であって、前記ページ領域選択の各々は、ラベルコンテンツを中に含む、受け取る工程と、
前記１以上のページ領域選択の各々に基づいて、複数の選択されたページからの１以上のラベルコンテンツを、テキスト・データとしてユーザ介入なく抽出する工程と、
対応する前記ラベルコンテンツの前記テキスト・データを、特定のラベルコンテンツが抽出された前記ページに対するラベルとして割り当てる工程と、を備える、方法。
【請求項１８】
前記１以上のラベルコンテンツが抽出された、選択された前記ページの範囲の指定を受け取る工程をさらに備える、請求項１７に記載の方法。
【請求項１９】
１以上のラベルコンテンツを抽出する前記工程は、前記ページ領域選択をＯＣＲエンジンにより構文解析し、前記対応するテキスト・データを生成する工程を含む、請求項１７に記載の方法。
【請求項２０】
文書内の複数のページに対するブックマークを自動的に生成する方法であって、
前記複数のページのうちの第１のページ上の１以上のページロケーション選択を受け取る工程であって、前記ページロケーション選択の各々は、ブックマークコンテンツを中に含む、受け取る工程と、
前記１以上のページロケーション選択の各々に基づいて、複数の選択されたページからの１以上のブックマークコンテンツを、テキスト・データとしてユーザ介入なく抽出する工程と、
対応する前記ブックマークコンテンツの前記テキスト・データで、特定のラベルコンテンツが抽出された前記ページに対するブックマークを生成する工程と、を備える、方法。
【請求項２１】
前記１以上のブックマークコンテンツが抽出された、選択された前記ページの範囲の指定を受け取る工程をさらに備える、請求項２０に記載の方法。
【請求項２２】
１以上のブックマークコンテンツを抽出する前記工程は、前記ページロケーション選択をＯＣＲエンジンにより構文解析し、前記対応するテキスト・データを生成する工程を含む、請求項２０に記載の方法。